(57)【要約】【課題】定められた焦点距離で原稿の読取を行う読取センサを用いた画像読取装置において、原稿の紙厚に関わらず、読み取りによって生成された画像の空間周波数応答特性を安定化させること。【解決手段】定められた焦点距離で原稿の読取を行う原稿読取部と、原稿の紙厚に関する情報を取得する紙厚取得部と、取得された紙厚に対応する画像の空間周波数応答特性の補正に用いる補正パラメータを用いて、原稿読取部によって読み取られた画像の空間周波数応答特性を補正する空間周波数応答特性補正部を含む。【選択図】図５
2014179732.tif 000002
【特許請求の範囲】
【請求項１】
定められた焦点距離で原稿の読取を行う原稿読取部と、
前記原稿の紙厚に関する情報を取得する紙厚取得部と、
取得された前記紙厚に関する情報に基づき、原稿の紙厚及び画像の空間周波数応答特性の補正に用いる補正パラメータを記憶している補正パラメータ記憶部から、補正パラメータを取得する補正パラメータ取得部と、
取得された前記補正パラメータを用いて、前記原稿読取部によって読み取られた画像の空間周波数応答特性を補正する空間周波数応答特性補正部とを含むことを特徴とする画像読取装置。
【請求項２】
前記原稿読取部は、前記原稿の一方の面及び他方の面を読み取り可能なように前記原稿の両面側に夫々設けられ、
前記補正パラメータ記憶部は、画像のエッジ強調補正のためのパラメータ及び画像の平滑化のためのパラメータを前記補正パラメータとして記憶しており、
前記補正パラメータ取得部は、取得された前記原稿の紙厚に基づき、前記原稿の一方の面を読み取った画像の空間周波数応答特性と他方の面を読み取った画像の空間周波数応答特性とが近づくように、前記一方の面及び前記他方の面夫々の補正パラメータを取得し、
前記空間周波数応答特性補正部は、前記一方の面及び前記他方の面毎に取得された前記補正パラメータに基づき、前記原稿の一方の面を読み取った画像及び前記原稿の他方の面を読み取った画像夫々の空間周波数応答特性を補正することを特徴とする請求項１に記載の画像読取装置。
【請求項３】
前記紙厚取得部は、ユーザが原稿の紙厚の値又は原稿として用いられた紙の種類、を選択する操作部より構成されることを特徴とする請求項１又は２に記載の画像読取装置。
【請求項４】
前記原稿読取部は、前記密着型イメージセンサを含むことを特徴とする請求項１乃至３のいずれか一つに記載の画像読取装置。
【請求項５】
請求項１乃至４のいずれか一つに記載の画像読取装置を備えたことを特徴とする画像形成装置。
【請求項６】
原稿の紙厚に関する情報に基づき、前記原稿の紙厚及び画像の空間周波数応答特性の補正に用いる補正パラメータを記憶している補正パラメータ記憶部から、補正パラメータを取得するステップと、
取得された前記補正パラメータを用いて、前記原稿を読み取って得られた画像の空間周波数応答特性を補正するステップと、
を含むことを特徴とする画像処理方法。
【請求項７】
原稿の紙厚に関する情報に基づき、前記原稿の紙厚及び画像の空間周波数応答特性の補正に用いる補正パラメータを記憶している補正パラメータ記憶部から、補正パラメータを取得するステップと、
取得された前記補正パラメータを用いて、前記原稿を読み取って得られた画像の空間周波数応答特性を補正するステップと、
をコンピュータに実行させることを特徴とする画像処理プログラム。
【発明の詳細な説明】
【技術分野】
【０００１】
本発明は、画像読取装置、画像読取装置を備えた画像形成装置、画像処理方法、及び画像処理プログラムに関し、特に、紙厚に応じたＭＴＦ（Ｍｏｄｕｌａｔｉｏｎ  Ｔｒａｎｓｆｅｒ  Ｆｕｎｃｔｉｏｎ）補正を行うための技術に関する。
【背景技術】
【０００２】
近年、情報の電子化が推進される傾向にあり、電子化された情報の出力に用いられるプリンタやファクシミリ及び書類の電子化に用いるスキャナ等の画像読取装置は欠かせない機器となっている。このような画像読取装置は、撮像機能、画像形成機能及び通信機能等を備えることにより、プリンタ、ファクシミリ、スキャナ、複写機として利用可能な複合機として構成されることが多い。
【０００３】
このような画像読取装置において用いられるイメージセンサには、縮小光学系と等倍光学系とがある。縮小光学系は、原稿の反射光をミラー及びレンズを介し、センサ上に縮小結合させて電気信号を得るものである。縮小光学系は、焦点深度が深く原稿が多少浮いた状態でも読み取ることが可能となるので、例えば書籍などを原稿台において読み取る場合などに優位であるが、光学経路を確保するために比較的大きなスペースが必要となる。従って、主にフラットベッドスキャナにて用いられる。この縮小光学系には、センサとしてＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）が用いられている。
【０００４】
一方、等倍光学系は、原稿のサイズそのままにセンサ上に結像させて電気信号を得るものである。こちらは光学経路のためのスペースが不要となるのでより省スペースでの読取が可能となる。また、縮小光学系には必要であったミラーやレンズなどが不要となるので、低コストで構成が可能となる。この等倍光学系のセンサとして、密着型イメージセンサ（ＣＩＳ：Ｃｏｎｔａｃｔ  Ｉｍａｇｅ  Ｓｅｎｓｏｒ）が用いられている。ＣＩＳは省スペース及び低コストで構成できることから、これを自動原稿搬送機（ＡＤＦ（ＡＤＦ：Ａｕｔｏ  Ｄｏｃｕｍｅｎｔ  Ｆｅｅｄｅｒ））に搭載し、フラットヘッドスキャナで原稿の表面を読取り、ＣＩＳで原稿の裏面を読み取ることで、原稿の両面を一回の搬送で読み取ることが可能な両面同時読取装置が提案されている（特許文献１参照）。この構成によると、一回の搬送で原稿の表裏を読み取ることが可能となり、高い読取生産性が確保できる。さらに、原稿の反転動作などといった複雑な搬送経路を通らないので、原稿を傷めにくいといったメリットがある。
【０００５】
画像の読取における品質を示す１つの基準として空間周波数応答特性がある。空間周波数とは、位置に応じて画像の濃度が変化する場合の、濃度変化の急峻さを示す値であり、例えば位置に応じて濃度が正弦波状に変化する画像の場合、その正弦波の周波数に対応する。そして、空間周波数応答特性とは、そのような位置に応じて濃度が変化する画像を読み取った場合に、どの程度まで細かく画像の濃度の変化を読み取ることができるかを示すパラメータであり、ＭＴＦ（Ｍｏｄｕｌａｔｉｏｎ  Ｔｒａｎｓｆｅｒ  Ｆｕｎｃｔｉｏｎ）特性とも表現される。
【０００６】
上述したＣＩＳは焦点深度が浅く、原稿面が焦点位置からずれるとピントが合わずにＭＴＦ特性が劣化する。原稿として用いられる紙厚が異なると、それに応じて原稿面から焦点位置までの距離がばらつき、それによる画質の低下が課題となる。特に、両面同時読取装置では、表裏を読み取るセンサは別々となるので、紙厚に応じて原稿表面からセンサまでの距離と、原稿裏面からセンサまでの距離とが異なり、表裏の画質差が課題となる。この課題に関して、特許文献２には、原稿面とＣＩＳとの距離が一定となるように搬送パスの位置を移動させ、ＣＩＳの焦点深度に原稿面が入るようにしてＭＴＦ特性を一定にする方法が示されている。
【発明の概要】
【発明が解決しようとする課題】
【０００７】
上述したように、ＣＩＳを用いる場合、センサから原稿の読取面までの光路長が原稿の紙厚によって変化し、読取面が焦点位置からずれて画像の鮮明度が低下してしまう。特許文献２に開示された技術によれば、ＣＩＳの焦点深度が浅いことによる弊害を解決できるものの、そのために、搬送パスの位置制御を行うための複雑な機構が必要となってしまうという課題があった。
【０００８】
尚、このような課題はＣＩＳに限ったものではなく、センサから原稿の読取面までの焦点深度を調整できないイメージセンサ、即ち、予め定められた焦点深度でのみ画像の読み取りを行うイメージセンサであれば、同様に生じうる。
【０００９】
本発明は、上記課題を考慮してなされたものであり、定められた焦点距離で原稿の読取を行う読取センサを用いた画像読取装置において、原稿の紙厚に関わらず、読み取りによって生成された画像の空間周波数応答特性を安定化させることを目的とする。
【課題を解決するための手段】
【００１０】
上記課題を解決するために、本発明の一態様は、定められた焦点距離で原稿の読取を行う原稿読取部と、前記原稿の紙厚に関する情報を取得する紙厚取得部と、取得された前記紙厚に関する情報に基づき、原稿の紙厚及び画像の空間周波数応答特性の補正に用いる補正パラメータを記憶している補正パラメータ記憶部から、補正パラメータを取得する補正パラメータ取得部と、取得された前記補正パラメータを用いて、前記原稿読取部によって読み取られた画像の空間周波数応答特性を補正する空間周波数応答特性補正部とを含むことを特徴とする。
【００１１】
また、本発明の他の態様は、画像形成装置であって、上記画像読取装置を備えたことを特徴とする。
【００１２】
また、本発明の他の態様は、画像処理方法であって、原稿の紙厚に関する情報に基づき、前記原稿の紙厚及び画像の空間周波数応答特性の補正に用いる補正パラメータを記憶している補正パラメータ記憶部から、補正パラメータを取得するステップと、取得された前記補正パラメータを用いて、前記原稿を読み取って得られた画像の空間周波数応答特性を補正するステップと、を含むことを特徴とする。
【００１３】
また、本発明の他の態様は、画像処理プログラムであって、原稿の紙厚に関する情報に基づき、前記原稿の紙厚及び画像の空間周波数応答特性の補正に用いる補正パラメータを記憶している補正パラメータ記憶部から、補正パラメータを取得するステップと、取得された前記補正パラメータを用いて、前記原稿を読み取って得られた画像の空間周波数応答特性を補正するステップと、をコンピュータに実行させることを特徴とする。
【発明の効果】
【００１４】
本発明によれば、定められた焦点距離で原稿の読取を行う読取センサを用いた画像読取装置において、原稿の紙厚に関わらず、読み取りによって生成された画像の空間周波数応答特性を安定化させることができる。
【図面の簡単な説明】
【００１５】
【図１】本実施形態に係る画像形成装置のハードウェア構成を示すブロック図である。
【図２】本実施形態に係る画像形成装置の機能構成を示すブロック図である。
【図３】本実施形態に係る画像形成装置の概略構成を示す図である。
【図４】本実施形態に係る画像読取装置に搭載されるＣＩＳモジュールを示す図であって、（ａ）は、原稿台及びＣＩＳモジュールの各構成要素の位置関係を示し、（ｂ）は、ＣＩＳモジュールの構成部品の外観を示す。
【図５】本実施形態に係る画像読取装置の概略構成を示す図である。
【図６】読取位置における搬送路を示す図である。
【図７】本実施形態に係る画像読取装置の内部構成を示すブロック図である。
【図８】紙厚取得部により提示されるメニュー画面を示す図である。
【図９】ＭＴＦ特性を説明するための図であり、（ａ）は理論上の読取レベルを示し、（ｂ）は実際の読取レベルを示す。
【図１０】着目画素を中心とする５×５のフィルタサイズ内にある画素を示す図である。
【図１１】エッジ強調処理に用いる微分係数マトリクスを示す図である。
【図１２】平滑化処理に用いる重み係数マトリクスを示す図である。
【図１３】本実施形態に係る画像読取装置による両面読取動作の流れを示すフローチャートである。
【発明を実施するための形態】
【００１６】
以下、図面を参照して、本発明の実施形態を詳細に説明する。本実施形態においては、複合機（ＭＦＰ：Ｍｕｌｔｉ  Ｆｕｎｃｔｉｏｎ  Ｐｅｒｉｐｈｅｒａｌ）としての画像形成装置を例として説明する。本実施形態に係る画像形成装置は、電子写真方式による画像形成装置であり、撮像対象となる原稿を読み取る画像読取装置を備える。本発明の要旨は、この画像読取装置において、原稿の紙厚に応じた空間周波数応答特性の補正、即ちＭＴＦ補正を行うことである。
【００１７】
図１は、本実施形態に係る画像形成装置のハードウェア構成を示すブロック図である。図１に示すように、本実施形態に係る画像形成装置１は、一般的なサーバやＰＣ（Ｐｅｒｓｏｎａｌ  Ｃｏｍｐｕｔｅｒ）等の情報処理端末と同様の構成に加えて、画像形成を実行するエンジンを有する。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）１１、ＲＯＭ（ＲｅＡ／Ｄ  Ｏｎｌｙ  Ｍｅｍｏｒｙ）１２、エンジン１３、ＨＤＤ（Ｈａｒｄ  Ｄｉｓｋ  Ｄｒｉｖｅ）１４及びＩ／Ｆ１５がバス１８を介して接続されている。また、Ｉ／Ｆ１５にはＬＣＤ（Ｌｉｑｕｉｄ  Ｃｒｙｓｔａｌ  Ｄｉｓｐｌａｙ）１６及び操作部１７が接続されている。
【００１８】
ＣＰＵ１０は演算手段であり、画像形成装置１全体の動作を制御する。ＲＡＭ１１は、情報の高速な読み書きが可能な揮発性の記憶媒体であり、ＣＰＵ１０が情報を処理する際の作業領域として用いられる。ＲＯＭ１２は、読み出し専用の不揮発性記憶媒体であり、ファームウェア等のプログラムが格納されている。エンジン１３は、画像形成装置１において実際に画像形成を実行する機構である。
【００１９】
ＨＤＤ１４は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。Ｉ／Ｆ１５は、バス１８と各種のハードウェアやネットワーク等を接続し制御する。ＬＣＤ１６は、ユーザが画像形成装置１の状態を確認するための視覚的ユーザインターフェースである。操作部１７は、キーボードやマウス等、ユーザが画像形成装置１に情報を入力するためのユーザインターフェースである。
【００２０】
このようなハードウェア構成において、ＲＯＭ１２やＨＤＤ１４若しくは図示しない光学ディスク等の記録媒体に格納されたプログラムがＲＡＭ１１に読み出され、ＣＰＵ１０の制御に従って動作することにより、ソフトウェア制御部が構成される。このようにして構成されたソフトウェア制御部と、ハードウェアとの組み合わせによって、本実施形態に係る画像形成装置１の機能を実現する機能ブロックが構成される。
【００２１】
次に、図２を参照して、本実施形態に係る画像形成装置の機能構成について説明する。図２は、本実施形態に係る画像形成装置の機能構成を示すブロック図である。図２に示すように、本実施形態に係る画像形成装置１は、コントローラ２０、ＡＤＦ（Ａｕｔｏ  Ｄｏｃｕｍｅｎｎｔ  Ｆｅｅｄｅｒ：原稿自動搬送装置）２１、スキャナユニット２２、排紙トレイ２３、ディスプレイパネル２４、給紙テーブル２５、プリントエンジン２６、排紙トレイ２７及びネットワークＩ／Ｆ２８を有する。ＡＤＦ２１、スキャナユニット２２、及び排紙トレイ２３を総称して画像読取装置２という。
【００２２】
また、コントローラ２０は、主制御部３０、エンジン制御部３１、入出力制御部３２、画像処理部３３及び操作表示制御部３４を有する。図２に示すように、本実施形態に係る画像形成装置１は、スキャナユニット２２、プリントエンジン２６を有する複合機として構成されている。尚、図２においては、電気的接続を実線の矢印で示しており、用紙の流れを破線の矢印で示している。
【００２３】
ディスプレイパネル２４は、画像形成装置１の状態を視覚的に表示する出力インタフェースであると共に、タッチパネルとしてユーザが画像形成装置１を直接操作し若しくは画像形成装置１に対して情報を入力する際の入力インタフェース（操作部）でもある。ネットワークＩ／Ｆ２８は、画像形成装置１がネットワークを介して他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。
【００２４】
コントローラ２０は、ソフトウェアとハードウェアとの組み合わせによって構成される。具体的には、ＲＯＭ１２や不揮発性メモリ並びにＨＤＤ１４や光学ディスク等の不揮発性記録媒体に格納されたファームウェア等の制御プログラムが、ＲＡＭ１１等の揮発性メモリ（以下、メモリ）にロードされ、ＣＰＵ１０の制御に従って構成されるソフトウェア制御部と集積回路などのハードウェアとによってコントローラ２０が構成される。コントローラ２０は、画像形成装置１全体を制御する制御部として機能する。
【００２５】
主制御部３０は、コントローラ２０に含まれる各部を制御する役割を担い、コントローラ２０の各部に命令を与える。エンジン制御部３１は、プリントエンジン２６やスキャナユニット２２等を制御若しくは駆動する駆動手段としての役割を担う。
【００２６】
入出力制御部３２は、ネットワークＩ／Ｆ２８を介して入力される信号や命令を主制御部３０に入力する。また、主制御部３０は、入出力制御部３２を制御し、ネットワークＩ／Ｆ２８を介して他の機器にアクセスする。
【００２７】
画像処理部３３は、主制御部３０の制御に従い、入力された印刷ジョブに含まれる印刷情報に基づいて描画情報を生成する。この描画情報とは、画像形成部であるプリントエンジン２６が画像形成動作において形成すべき画像を描画するための情報である。また、印刷ジョブに含まれる印刷情報とは、ＰＣ等の情報処理装置にインストールされたプリンタドライバによって画像形成装置１が認識可能な形式に変換された画像情報である。操作表示制御部３４は、ディスプレイパネル２４に情報表示を行い若しくはディスプレイパネル２４を介して入力された情報を主制御部３０に通知する。
【００２８】
画像形成装置１がプリンタとして動作する場合は、まず、入出力制御部３２がネットワークＩ／Ｆ２８を介して印刷ジョブを受信する。入出力制御部３２は、受信した印刷ジョブを主制御部３０に転送する。主制御部３０は、印刷ジョブを受信すると、画像処理部３３を制御して、印刷ジョブに含まれる印刷情報に基づいて描画情報を生成させる。
【００２９】
画像処理部３３によって描画情報が生成されると、エンジン制御部３１は、生成された描画情報に基づき、給紙テーブル２５から搬送される用紙に対して画像形成を実行する。即ち、プリントエンジン２６が画像形成部として機能する。プリントエンジン２６によって画像形成が施された文書は排紙トレイ２７に排紙される。
【００３０】
画像形成装置１がスキャナとして動作する場合は、ユーザによるディスプレイパネル２４の操作若しくはネットワークＩ／Ｆ２８を介して外部のＰＣ等から入力されるスキャン実行指示に応じて、操作表示制御部３４若しくは入出力制御部３２が主制御部３０にスキャン実行信号を転送する。主制御部３０は、受信したスキャン実行信号に基づき、エンジン制御部３１を制御する。
【００３１】
エンジン制御部３１は、ＡＤＦ２１を駆動し、ＡＤＦ２１にセットされた撮像対象原稿（以下「原稿」と略記する）をスキャナユニット２２に搬送する。また、エンジン制御部３１は、スキャナユニット２２を駆動し、ＡＤＦ２１から搬送される原稿を撮像する。また、ＡＤＦ２１に原稿がセットされておらず、スキャナユニット２２に直接原稿がセットされた場合、スキャナユニット２２は、エンジン制御部３１の制御に従い、セットされた原稿を撮像する。即ち、スキャナユニット２２が原稿読取部として動作する。
【００３２】
撮像動作においては、スキャナユニット２２に含まれるＣＣＤ等の撮像素子が原稿を光学的に走査し、光学情報に基づいて生成された撮像情報が生成される。エンジン制御部３１は、スキャナユニット２２が生成した撮像情報を画像処理部３３に転送する。画像処理部３３は、主制御部３０の制御に従い、エンジン制御部３１から受信した撮像情報に基づき画像情報を生成する。
【００３３】
画像処理部３３によって生成された画像情報は、ユーザの指示に応じてそのままＨＤＤ１４等に格納され若しくは入出力制御部３２及びネットワークＩ／Ｆ２８を介して外部の装置に送信される。
【００３４】
また、画像形成装置１が複写機として動作する場合は、エンジン制御部３１がスキャナユニット２２から受信した撮像情報若しくは画像処理部３３が生成した画像情報に基づき、画像処理部３３が描画情報を生成する。その描画情報に基づいてプリンタ動作の場合と同様に、エンジン制御部３１がプリントエンジン２６を駆動する。
【００３５】
次に、図３を参照して、本実施形態に係る画像形成装置の概略構成について説明する。図３は、本実施形態に係る画像形成装置の概略構成を示す図である。
【００３６】
図３に示すように、画像形成装置１は、床面上に載置された画像形成装置本体１００と、画像形成装置本体１００の上に装着されたＡＤＦ２１と、を備える。
【００３７】
画像形成装置本体１００の上面には、ＡＤＦ２１から搬送された原稿の搬送路となる原稿台１１０が備えられる。画像形成装置本体１００の図３において右側には大容量給紙装置１２０が配置される。また大容量給紙装置１２０内には、既述の給紙テーブル２５が含まれる。また、画像形成装置本体１００の図３において左側には、排紙トレイ２７が配置される。
【００３８】
画像形成装置本体１００の内部には、原稿台１１０に面してスキャナユニット２２が備えられる。このスキャナユニット２２及びＡＤＦ２１が、画像読取装置２に含まれる。ＡＤＦ２１の図３において右側には、排紙トレイ２３が備えられる。さらに、画像形成装置本体１００は、既述のコントローラ２０、プリントエンジン２６、ネットワークＩ／Ｆ２８の他、原稿のプリント機構及び搬送機構を内蔵する。なお、図３では図示を省略するものの、画像形成装置本体１００の外表面には、ディスプレイパネル２４が配置され、そのディスプレイパネル２４にタッチパネルが積層される。このタッチパネルが後述する紙厚取得部を形成する。紙厚取得部は、ユーザから原稿の紙厚の入力操作を受け付けるものであればよく、その構成はタッチパネルに限らず、紙厚に対応したボタンなどのハードキーでもよい。また、画像形成装置１をネットワークプリンタとして用いる場合には、構内ネットワークを介して、画像形成装置１と互いに接続された端末装置の入力装置、例えばマウス、キーボードをユーザが操作することによって、紙厚を入力できるように構成される。
【００３９】
画像読取装置２は、ＡＤＦ２１によって原稿台１１０上に導かれ、停止した原稿をスキャナユニット２２により光学的にスキャンして読み取る。読み取られた画像データは、画像形成装置本体１００に内蔵されたコントローラ２０内の画像処理部３３で所定の画像処理が実行され、記憶装置に一旦記憶される。そして、画像形成時にプリントエンジン２６によって記憶装置から読み出され、光書き込みが行われる。ＡＤＦ２１は両面読み取り機能を有するもので、画像読取装置２の原稿台１１０への設置面を開閉自在に取り付けられている。
【００４０】
スキャナユニット２２は、ＣＩＳモジュールを用いた等倍光学系により構成する。以下、図４に基づいて、ＣＩＳモジュールについて説明する。ここで、図４は、本実施形態に係る画像読取装置に搭載されるＣＩＳモジュールを示す図であって、（ａ）は、原稿台及びＣＩＳモジュールの各構成要素の位置関係を示し、（ｂ）は、ＣＩＳモジュールの構成部品の外観を示す。
【００４１】
スキャナユニット２２は、原稿台１１０上に載置した原稿３００をＣＩＳモジュールを移動させながら読み取る、いわゆるフラットベッドスキャナとして構成される。より詳細には、図４の（ａ）に示すように、スキャナユニット２２は、上部が開口した略箱状の枠体２２５を有し、この中に光源２２１、等倍レンズアレイ２２２、フォトセンサ２２３を収容する。枠体２２５の開口部は、透明部材を用いた原稿台１１０が配置される。原稿３００は原稿台１１０におけるスキャナユニット２２とは反対側の面を搬送される。原稿３００において、原稿台１１０と接触する表面が、スキャナユニット２２による読取面となる。
【００４２】
光源２２１は、原稿３００に可視光を照射するもので、例えば、ＬＥＤ（Ｌｉｇｈｔ  Ｅｍｉｔｔｉｎｇ  Ｄｉｏｄｅ）を用いて主走査方向に沿ったライン状光源として構成される（図４の（ｂ）参照）。等倍レンズアレイ２２２は、等倍結合レンズを主走査方向に沿って並べて構成される。フォトセンサ２２３は、ＣＩＳを主走査方向に沿ってライン状に配列して構成される。スキャナユニット２２内にある光源２２１から原稿３００に対して光（Ｌ−１）を照射し、走行体が副走査方向に移動しながら、原稿３００からの反射光（Ｌ−２）を読取り、この反射光（Ｌ−２）を、等倍レンズアレイ２２２を介してフォトセンサ２２３上に結像させる。そして、フォトセンサ２２３において光電変換を行い、アナログ電気信号が出力される。ＣＩＳは焦点距離が短いことから、定められた焦点距離で原稿の読取を行うこととなる。そのため、紙厚に応じて紙面とＣＩＳまでの距離が変化すると、それに応じて紙面に焦点が合わず、ＭＴＦ特性の劣化を招きやすくなる。本発明は、このように、定められた焦点距離で原稿を読み取ることに伴うＭＴＦ特性の劣化を改善することがその要旨である。したがって、ＣＩＳに限らず、ＣＣＤやＣＭＯＳを用いて定められた焦点距離で原稿の読取を行う場合にも、本発明を適用することができる。
【００４３】
本実施形態に係る画像読取装置２は二つのＣＩＳモジュールを備え、各ＣＩＳモジュールは、原稿の一方の面（表面）及び他方の面（裏面）を読み取り可能なように原稿の両面側に夫々設けられた両面同時読取装置として構成する。次に図５及び図６を用いて、画像読取装置２の詳細について説明する。図５は、本実施形態に係る画像読取装置の概略構成を示す図である。図６は、読取位置における搬送路を示す図である。
【００４４】
図５に示すように、画像読取装置２のＡＤＦ２１は、その上部に給紙トレイ２１３が備えられ、下部には排紙トレイ２３を備える。また、ＡＤＦ２１の内部には、給紙トレイ２１３から排紙トレイ２３に向かって原稿３００が搬送される搬送路３１０が形成される。以下、給紙トレイ２１３から排紙トレイ２３に向かう方向を搬送方向という。ＡＤＦ２１の内部には、搬送路３１０に沿って、正回転する搬送ローラ（以下「正回転ローラ」という）及び逆回転する搬送ローラ（以下「逆回転ローラ」という）を含む複数のローラ対２１１−１、２１１−２、２１１−３、２１１−４、２１１−５、２１１−６、２１１−７が備えられ、その下流に排紙ローラ２１２が備えられる。原稿３００は、正回転ローラ及び逆回転ローラの間を通って、搬送方向に沿って搬送される。
【００４５】
更に画像読取装置２は、原稿３００の表面の読取を行う表面読取装置２３０と、裏面の読取を行う裏面読取装置２４０とを、搬送路３１０を挟んで備える。表面読取装置２３０は、スキャナユニット２２のＣＩＳモジュールをＡＤＦ２１の搬送路３１０の途中で停止させて用いることで、表面読取装置２３０を形成する。ＣＩＳは焦点深度が縮小光学系と比較して浅いので、原稿３００の表面を表面読取装置２３０に近づけるように、搬送路３１０における表面読取装置２３０の読取位置に対応する部分を曲げて形成する。
【００４６】
より具体的には、図６に示すように原稿台１１０の上面に、透明部材からなるコンタクトガラス２３１を配置し、このコンタクトガラス２３１を介して原稿３００の表面を表面読取装置２３０で読み取る。搬送路３１０における表面読取装置２３０の読取位置に対応する部分は、原稿３００と、表面読取装置２３０との距離を近づけるために、原稿３００をある曲率で曲がるように形成される。そのため、表面読取装置２３０は、原稿３００が曲がった状態で表面を読み取ることとなる。このとき、原稿３００の紙厚に応じて紙の腰の位置も変化し、原稿３００の表面と表面読取装置２３０との距離が変化する。そのため、表面読取装置２３０からの出力が原稿３００の紙厚に応じてＭＴＦ特性が変化する。
【００４７】
一方、裏面読取装置２４０は、搬送路３１０の一部を直線状に形成し、直線状の搬送路３１０に対応する位置に裏面読取装置２４０を備える。
【００４８】
裏面読取装置２４０は、原稿３００がまっすぐな状態で読み取ることができる。しかし、表面読取装置２３０と裏面読取装置２４０とは別体に構成されるので、表面読取装置２３０から原稿３００の表面までの距離と、裏面読取装置２４０から原稿３００の裏面までの距離とは、紙厚によっては一致するとは限らない。従って、原稿３００の表面を読み取った出力のＭＴＦ特性と、原稿３００の裏面を読み取った出力のＭＴＦ特性とが異なるので、それぞれに応じたＭＴＦ補正を行うことが、本発明の要旨の一つである。なお、裏面読取装置２４０において、搬送路を挟んで対向する位置に白色ローラ２４１を備える。裏面読取装置２４０は白色ローラ２４１を読み取ってその出力を基に基準白レベルを取得し、シェーディングデータとする。
【００４９】
次に、図７を用いて、画像読取装置の内部構成について説明する。図７は、本実施形態に係る画像読取装置の内部構成を示すブロック図である。図７に示すように、本実施形態に係る画像読取装置２は、フォトセンサ２２３、ＡＦＥ（Ａｎａｌｏｇ  Ｆｒｏｎｔ  Ｅｎｄ）２５０、タイミングジェネレーター２６０、クロック発振器２７０、ＣＰＵ２８０、画像処理ブロック２９０、及び紙厚取得部１５０を含む。
【００５０】
本実施形態では紙厚取得部１５０として、ユーザが紙厚に関する情報を入力する操作を行う紙厚入力部を例に挙げて説明する。紙厚入力部は、ディスプレイパネル２４に積層されたタッチパネルから、ユーザが紙厚の実際の値を入力したり、紙の種類を選択したりする入力装置により形成される。画像形成装置１がネットワークプリンタとして用いられる場合には、構内ネットワークを介して、画像形成装置１と互いに接続された端末装置の入力装置、例えばマウス、キーボードをユーザが操作することによって、紙厚に関する情報を取得してもよい。
【００５１】
更に紙厚取得部１５０は、装置が自動的に紙厚を取得するように構成されてもよい。例えば、ＡＤＦ２１内の原稿トレイに載置された原稿の紙面に対し斜め方向から光ビームを照射し、その反射光の受光位置の違いを基に原稿の紙面までの距離を検出し、これを基に原稿の厚みを検知する紙厚センサにより紙厚取得部を構成してもよい。また、イメージセンサから紙面までの距離を測定する測距センサを用いて紙厚取得部を構成してもよい。これにより、ユーザが紙厚に関する情報を入力する手間及びそれに要する構成を省くことができる。
【００５２】
フォトセンサ２２３は、ＣＩＳを用いて構成される。ＡＦＥ２５０は、アナログ処理、Ａ／Ｄ変換処理、及びデジタル信号処理を行うＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）であり、ゲイン増幅回路２５１及びＡ／Ｄ変換器２５２を含む。タイミングジェネレーター２６０は、フォトセンサ２２３及びＡＦＥ２５０の駆動信号の生成を行うものである。クロック発振器２７０は、タイミングジェネレーター２６０が駆動信号を生成する際に基準となるクロック信号を生成する。ＣＰＵ２８０は、画像読取装置２内の各構成要素の制御を行うものであり、本実施形態では、画像読取装置２にその制御に特化したＣＰＵ２８０を搭載するが、画像形成装置１に搭載したＣＰＵ１０（図１参照）を用いてもよい。
【００５３】
画像処理ブロック２９０は、フォトセンサ２２３の出力に対し、白レベル補正及び黒レベル補正を行う白レベル・黒レベル補正部２９１と、原稿の紙厚及び画像の空間周波数応答特性の補正に用いる補正パラメータを記憶している補正パラメータ記憶部２９２と、紙厚取得部１５０により取得された紙厚に関する情報に基づき、補正パラメータ記憶部２９２から、補正パラメータを取得する補正パラメータ取得部２９３と、取得された補正パラメータを用いて、スキャナユニット２２によって読み取られた画像の空間周波数応答特性を補正する空間周波数応答特性補正部（以下「ＭＴＦ補正部」という）２９４とを含む。本実施形態では、補正パラメータ取得部２９３は、原稿３００の表面及び裏面夫々の補正パラメータを取得する。そして、ＭＴＦ補正部２９４は、表面及び裏面毎に取得された補正パラメータに基づき、表面を読み取った画像及び裏面を読み取った画像夫々のＭＴＦ補正を行う。画像処理ブロック２９０は、その機能を実現するためのプログラムと、制御・演算装置、記憶装置、及び入出力装置を含むハードウェアと、が協働することにより構成される。
【００５４】
画像読取装置２は、ユーザが原稿の紙厚を入力するためのユーザインターフェースとなる紙厚取得部１５０を備える。紙厚取得部１５０による紙厚の入力は、紙厚の実際の値を入力するようにしてもよいが、ユーザが紙厚の実際の値を把握することが容易ではないこともありうる。そこで、紙厚の実際の値に代えて、ユーザに紙の種類を選択させてもよい。図８に、紙厚取得部により提示されるメニュー画面を示す。図８に示すように、紙厚取得部１５０は、複数種類の紙種リストが表示されたメニュー画面１５１をディスプレイパネル２４に表示し、ユーザがタッチパネルを押圧することで、紙の種類を選択できるように構成してもよい。この場合、補正パラメータ記憶部２９２は、紙の種類と補正パラメータとを対応させて記憶しておく。
【００５５】
フォトセンサ２２３が読み取ったアナログ信号は、ＡＦＥ２５０に入力される。このとき、原稿３００の表面を読み取ったアナログ信号と、裏面を読み取ったアナログ信号とは、読取順序に従って識別され、ＡＦＥ２５０へと入力される。そしてゲイン増幅回路２５１において、予め定められたゲイン（設定値）を基に増幅した後、Ａ／Ｄ変換器２５２にてアナログ信号からデジタル信号に変換される。ゲイン（設定値）は、光源２２１の部品ばらつきやフォトセンサ２２３の感度ばらつきなどを吸収するためにプログラマブルに設定できるものであり、基準白レベルを読み取った場合に一定のデジタル出力となるように、電源がＯＮにされたときや、画像データの読取毎にゲインの調整を行い、ゲインの設定値を決定する。
【００５６】
変換されたデジタル信号は、画像処理ブロック２９０に送られる。白レベル・黒レベル補正部２９１は、予め読み取った基準白レベル及び基準黒レベルを基に、デジタル信号に対して白レベル補正及び黒レベル補正を行う。次いで、補正パラメータ取得部２９３は、紙厚取得部１５０から紙厚を示す情報（実際の値や、紙種を示す情報）を取得し、これに対応する表面用の補正パラメータ（以下「表面パラメータ」という）、及び裏面用の補正パラメータ（以下「裏面パラメータ」）を補正パラメータ記憶部２９２から読み出す。そして、ＭＴＦ補正部２９４は表面パラメータを用いて、表面読取装置２３０からの出力に対してＭＴＦ補正を行うとともに、裏面読取装置２４０からの出力に対して裏面パラメータを用いてＭＴＦ補正を行う。ＭＴＦ補正の処理の詳細は後述する。その後、これらのデジタル信号は画像情報としてさらに後段の画像処理ブロック（例えば画像形成装置１内の画像処理部３３）に出力され、そこで画像処理が施される。
【００５７】
次に、図９を用いて、ＭＴＦ特性について説明する。図９は、ＭＴＦ特性を説明するための図であり、（ａ）は理論上の読取レベルを示し、（ｂ）は実際の読取レベルを示す。
【００５８】
ＭＴＦ特性とは、ある周期で黒色および白色が等間隔で配置された原稿（以下「ＭＴＦ基準原稿」という）を読み取った際の特徴量である。ＭＴＦ基準原稿を読み取った際の出力は、理想的には、図９の（ａ）に示すように、白色を読み取って得られる読取レベルＷ１と、黒色を読み取って得られる読取レベルＢ１と、が２値で得られることが望ましい。このときの読取レベルの差（振幅）をＸ１とする。
【００５９】
しかし実際には、レンズなどの光学系の特性や、焦点に対しての原稿までの距離のずれなどの影響を受けて、図９の（ｂ）に示すように、黒色の読取レベルＢ２（Ｂ２＞Ｂ１）と、白色の読取レベルＷ２（Ｗ２＜Ｗ１）と、の差を示す振幅Ｘ２は、上記理想的な状態における読取レベルの振幅Ｘ１（Ｗ１−Ｂ１）よりも小さくなる特性がある。この特性を数値化したものがＭＴＦ特性である。このＭＴＦ特性は以下の式（１）によって表される。
【数１】
2014179732.tif 000003
【００６０】
このＭＴＦ特性を黒、白の配置間隔毎に確認することで画質の劣化度合いを確認することができる。本実施形態に係る画像読取装置２に備えられたＣＩＳでは焦点深度が浅いために、原稿面との距離が焦点領域から外れると、ＭＴＦ特性が劣化する。そこで、ＭＦＴ特性値の適正化を図るために補正処理を行う。これが、ＭＴＦ補正と呼ばれるものである。ＭＴＦ補正は、一般的に、ＭＴＦ特性を高くするエッジ強調処理と、ＭＴＦ特性を低くする平滑化処理と、の２種類がある。エッジ強調処理は前述の黒、白の読取レベルの差Ｘ２を広げる処理である。平滑化処理は、前述の黒、白の読取レベルの差Ｘ２を狭める処理である。エッジ強調処理及び平滑化処理を夫々使い分けることで、ＭＴＦ特性を所定レベルに保つことができ、ＭＴＦ特性が安定する。特に両面同時読取装置では、エッジ強調処理及び平滑化処理を夫々使い分けることで、表裏のＭＴＦ特性を合わせることができる。
【００６１】
次に図１０乃至図１２を用いて、２次元の画像データに対して、着目画素及びその周辺画素の出力を用いて着目画素のＭＴＦ特性を補正する処理について説明する。図１０は、着目画素を中心とする５×５のフィルタサイズ内にある画素を示す図である。図１１は、エッジ強調処理に用いる微分係数マトリクスを示す図である。図１２は、平滑化処理に用いる重み係数マトリクスを示す図である。
【００６２】
図１０では、着目画素の座標を（ｎ，ｍ）、その値をＸｎ，ｍと表す。ＭＴＦ補正では、着目画素を中心とする予め定められたフィルタサイズ、例えば５×５のフィルタサイズ内にある周辺画素の値を用いる。エッジ強調補正を行う場合、強調する必要がある画像周波数の微分係数を各周辺画素に対して規定し、それらをマトリクス状に配置したパラメーター（微分係数マトリクスという）を算出する。そして、周辺画素の出力（画素値）と微分係数マトリクスとの行列積に強度係数をかけて強調量を算出し、それに着目画素の出力（画素値）を加算する。
【００６３】
より詳細には、着目画素（ｎ，ｍ）の各周辺画素、例えば座標（ｎ−１，ｍ−１）に対応する微分係数をＡｎ−１，ｍ−１と表すとすると、微分係数マトリクスは、図１１に示すように、各周辺画素に対して微分係数Ａｎ−２，ｍ−２、Ａｎ−２，ｍ−１、…、Ａｎ，ｍ、…、Ａｎ＋２，ｍ＋２を設定した５×５のマトリクス状に表せる。このとき、エッジ強調を行うフィルタ処理後の着目画素（ｎ，ｍ）の値Ｙｎ，ｍは以下の式（２）で表される。
【数２】
2014179732.tif 000004
【００６４】
一方、平滑処理を行う場合は、着目画素の値Ｘｎ，ｍ及び周辺画素の値Ｘｎ＋ｉ，ｍ＋ｊに乗算する重み係数をマトリクス状に配置したパラメーター（重み係数マトリクスという）を算出する。そして、着目画素の値Ｘｎ，ｍ及び周辺画素の値Ｘｎ＋ｉ，ｍ＋ｊに、着目画素Ｘｎ，ｍ及び周辺画素Ｘｎ＋ｉ，ｍ＋ｊに対応して決められた重み係数Ｂを乗算して加算し（重みづけ加算し）、着目画素Ｘｎ，ｍ及び周辺画素Ｘｎ＋ｉ，ｍ＋ｊの画素数Ｅで除算することにより、着目画素の値及び周辺画素の値の平均値を求める処理を行う。重み付け係数を調整することで平滑化の度合いを調整する。各周辺画素Ｘｎ＋ｉ，ｍ＋ｊに対して定めた重み係数をＢｎ＋ｉ，ｍ＋ｊと表す。この場合、重み係数マトリクスは、図１２に示すように、５×５のフィルタサイズ内に重み係数Ｂｎ−２，ｍ−２、Ｂｎ−２，ｍ−１、…、Ｂｎ，ｍ、…、Ｂｎ＋２，ｍ＋２を配列して表せる。５×５のフィルタサイズでは、全画素数Ｅは２５となる。このとき、平滑化を行うフィルタ処理後の着目画素（ｎ，ｍ）の値Ｙｎ，ｍは、以下の式（３）で表される。
【数３】
2014179732.tif 000005
【００６５】
上記微分係数マトリクス及び重み係数マトリクスを総称して補正パラメータという。補正パラメータは、原稿の紙厚毎に、表面パラメータ及び裏面パラメータをセットにして設定される。表面パラメータ及び裏面パラメータは、ＭＴＦ補正後の表面読取装置２３０からの出力が示すＭＴＦ特性と、ＭＴＦ補正後の裏面読取装置２４０からの出力が示すＭＴＦ特性と、が揃うように設定される。そして、表面及び裏面のそれぞれに対するＭＴＦ補正を独立に実施する。原稿の紙厚に従って補正パラメータを切り替えることで、ＭＴＦ補正の補正強度を変える。これにより、紙厚に依存してＭＴＦ特性が変化しても、適切なＭＴＦ特性に近づけるように補正することが可能となる。
【００６６】
以下に、補正パラメータの例として、原稿紙厚３種類（紙厚が厚い、中程度、薄い）に対応した補正パラメータの例を示す。
【００６７】
＜ＭＴＦ補正パラメータ＞
１．原稿紙厚：「厚」のパラメータセット
表面エッジ強調パラメータ：（Ａ１ａ＿ｎ−２，ｍ−２、…、Ａ１ａ＿ｎ＋２，ｍ＋２、Ｃ１ａ）
表面平滑化パラメータ：（Ｂ１ａ＿ｎ−２，ｍ−２、…、Ｂ１ａ＿ｎ＋２，ｍ＋２、Ｅ１ａ）
裏面エッジ強調パラメータ：（Ａ１ｂ＿ｎ−２，ｍ−２、…、Ａ１ｂ＿ｎ＋２，ｍ＋２、Ｃ１ｂ）
裏面平滑化パラメータ：（Ｂ１ｂ＿ｎ−２，ｍ−２、…、Ｂ１ｂ＿ｎ＋２，ｍ＋２、Ｅ１ｂ）
２．原稿紙厚：「中」のパラメータセット
表面エッジ強調パラメータ：（Ａ２ａ＿ｎ−２，ｍ−２、…、Ａ２ａ＿ｎ＋２，ｍ＋２、Ｃ２ａ）
表面平滑化パラメータ：（Ｂ２ａ＿ｎ−２，ｍ−２、…、Ｂ２ａ＿ｎ＋２，ｍ＋２、Ｅ２ａ）
裏面エッジ強調パラメータ：（Ａ２ｂ＿ｎ−２，ｍ−２、…、Ａ２ｂ＿ｎ＋２，ｍ＋２、Ｃ２ｂ）
裏面平滑化パラメータ：（Ｂ２ｂ＿ｎ−２，ｍ−２、…、Ｂ２ｂ＿ｎ＋２，ｍ＋２、Ｅ２ｂ）
３．原稿紙厚：「薄」のパラメータセット
表面エッジ強調パラメータ：（Ａ３ａ＿ｎ−２，ｍ−２、…、Ａ３ａ＿ｎ＋２，ｍ＋２、Ｃ３ａ）
表面平滑化パラメータ：（Ｂ３ａ＿ｎ−２，ｍ−２、…、Ｂ３ａ＿ｎ＋２，ｍ＋２、Ｅ３ａ）
裏面エッジ強調パラメータ：（Ａ３ｂ＿ｎ−２，ｍ−２、…、Ａ３ｂ＿ｎ＋２，ｍ＋２、Ｃ３ｂ）
裏面平滑化パラメータ：（Ｂ３ｂ＿ｎ−２，ｍ−２、…、Ｂ３ｂ＿ｎ＋２，ｍ＋２、Ｅ３ｂ）
【００６８】
上記の例では、同一の紙厚に対して、表面パラメータ及び裏面パラメータの対からなるパラメータセットを複数用意しておく。すなわち、原稿紙厚が「薄」場合に、表面パラメータとして、表面エッジ強調パラメータ及び表面平滑化パラメータを含み、裏面パラメータとして裏面エッジ強調パラメータ及び裏面平滑化フィルタを含む。そして、ＭＴＦ補正部２９４は、表面読取装置２３０からの出力に応じて、表面エッジ強調パラメータ及び表面平滑化パラメータのうちのいずれかを選択して表面出力に対するＭＴＦ補正を行う。同様に、裏面に対しても裏面読取装置２４０からの出力に応じて、裏面エッジ強調パラメータ及び裏面平滑化パラメータのうちのいずれかを選択して裏面出力に対するＭＴＦ補正を行う。一般に、同一の紙厚であっても、紙質が柔らかく、しなやかに曲がる紙では、原稿３００の表面から表面読取装置２３０までの距離が近接するが、紙質が硬く、紙の腰が高い紙では原稿３００の表面から表面読取装置２３０までの距離が離れるので、表面読取装置２３０の出力が示すＭＴＦ特性が異なる。そこで、複数の表面パラメータのうち、より好適なものを選択する。選択は、紙の種類に応じて行ってもよいし、表面読取装置２３０の出力に応じて行ってもよい。この場合、ＭＴＦ補正部２９４は、原稿３００を読み取って得た出力が示すＭＴＦ特性が所定のレベルになるように、表面用のエッジ強調又は平滑化のいずれかを一つを選択してＭＴＦ補正に用いる。
【００６９】
一方、裏面読取装置２４０は、直線状の搬送路３１０に設けられているので、紙がまっすぐな状態で読み取る。従って、紙質によらず、紙厚が等しければ裏面読取装置２４０から原稿３００の裏面までの距離は等しくなるので、異なる紙質でも同一の裏面パラメータを用いることがありうる。
【００７０】
また、表面読取装置２３０及び裏面読取装置２４０の状態が経年劣化や光路上の汚れにより変化すると、異なる時点で同一の紙厚、紙質の原稿を読み取った出力が異なることがありうる。その場合にも、現時点の出力に応じた表面パラメータ及び裏面パラメータを選択することにより、所定のレベルになるようにＭＴＦ補正を行うことができる。その結果、表裏のＭＴＦ特性を近づけることができる。
【００７１】
上記の補正パラメータの生成は、予め、設定する原稿の紙厚（又は紙の種類）を定めておき、各紙厚（又は紙の種類）における標準的な基準原稿を読み取った際のＭＴＦ特性が所定のレベルとなるように求め、補正パラメータ記憶部２９２に記憶しておく。そして、原稿読取時に、補正パラメータ記憶部２９２から紙厚に応じた補正パラメータを読み出して、ＭＴＦ補正に用いる。
【００７２】
補正パラメータの生成は、工場出荷時に行ってもよいし、保守点検時に、基準原稿の再読み込みを行い、光学系部品の状況にあった補正パラメータに更新してもよい。
【００７３】
図１３に基づいて、本実施形態に係る画像読取装置による両面読取動作の流れについて説明する。図１３は、本実施形態に係る画像読取装置による両面読取動作の流れを示すフローチャートである。ユーザが原稿を給紙トレイ２１３にセットし、紙厚取得部１５０を操作して、原稿の紙厚を示す情報を入力する（Ｓ１３０１）。ＭＴＦ補正部２９４は、紙厚取得部１５０から紙厚情報を取得し、その紙厚に対して予め用意された表面パラメータ及び裏面パラメータからなる補正パラメータを補正パラメータ記憶部２９２から読み出す（Ｓ１３０２）。原稿３００が搬送路に沿って搬送され（Ｓ１３０３）、表面読取装置２３０の読取位置において、表面読取装置２３０が原稿３００の表面を読み取り（Ｓ１３０４）、そのアナログ信号がＡＦＥ２５０にてデジタル信号に変換され、画像処理ブロック２９０へと入力される。ＭＴＦ補正部２９４が、表面パラメータを用いてＭＴＦ補正を行い（Ｓ１３０５）、後段処理、例えば画像処理部３３へと出力される。
【００７４】
さらに原稿３００が搬送路に沿って搬送されて（Ｓ１３０６）、裏面読取装置２４０の読取位置において、裏面読取装置２４０が原稿３００の裏面を読み取り（Ｓ１３０７）、そのアナログ信号がＡＦＥ２５０にてデジタル信号に変換され、画像処理ブロック２９０へと入力される。ＭＴＦ補正部２９４が、裏面用のＭＴＦ補正パラメータを用いてＭＴＦ補正を行い（Ｓ１３０８）、後段処理、例えば画像処理部３３へと出力される。その後、排紙トレイ２７に原稿３００が排出される（Ｓ１３０９）。給紙トレイ２１３に原稿が残っていれば（Ｓ１３１０／Ｙｅｓ）、ステップＳ１３０３へ戻る。原稿が残っていなければ（Ｓ１３１０／Ｎｏ）、処理を終了する。
【００７５】
本実施形態に係る画像読取装置によれば、ユーザ自身で紙厚を設定することで、装置側にイメージスキャナと原稿面との距離を検出するための複雑な構成を持たせることなく、紙厚に合った適切なＭＴＦ補正をすることができる。加えて両面同時読取装置においては、複雑な機構を要することなく紙厚によって生じる表面のＭＴＦ特性と裏面のＭＴＦ特性とが近づけることができる。
【符号の説明】
【００７６】
１  画像形成装置
２  画像読取装置
１０  ＣＰＵ
１１  ＲＡＭ
１２  ＲＯＭ
１３  エンジン
１４  ＨＤＤ
１５  Ｉ／Ｆ
１６  ＬＣＤ
１７  操作部
１８  バス
２０  コントローラ
２１  ＡＤＦ
２２  スキャナユニット
２３  排紙トレイ
２４  ディスプレイパネル
２６  プリントエンジン
２７  排紙トレイ
２８  ネットワークＩ／Ｆ
３０  主制御部
３１  エンジン制御部
３２  入出力制御部
３３  画像処理部
３４  操作表示制御部
１００  画像形成装置本体
１１０  原稿台
１２０  大容量給紙装置
１５０  紙厚取得部
１５１  メニュー画面
２１１−１、２１１−２、２１１−３、２１１−４、２１１−５、２１１−６、２１１−７  ローラ対
２１２  排紙ローラ
２１３  給紙トレイ
２２１  光源
２２２  等倍レンズアレイ
２２３  フォトセンサ
２２５  枠体
２３０  表面読取装置
２３１  コンタクトガラス
２４０  裏面読取装置
２４１  白色ローラ
２５０  ＡＦＥ
２５１  ゲイン増幅回路
２５２  Ａ／Ｄ変換器
２６０  タイミングジェネレーター
２７０  クロック発振器
２８０  ＣＰＵ
２９０  画像処理ブロック
２９１  白レベル・黒レベル補正部
２９２  補正パラメータ記憶部
２９３  補正パラメータ取得部
２９４  ＭＴＦ補正部
３００  原稿
３１０  搬送路
【先行技術文献】
【特許文献】
【００７７】
【特許文献１】特開２０００−１１５５４６号公報
【特許文献２】特開２０１１−２５９１６４号公報
【図１】
2014179732.tif 000006
【図２】
2014179732.tif 000007
【図３】
2014179732.tif 000008
【図４】
2014179732.tif 000009
【図５】
2014179732.tif 000010
【図６】
2014179732.tif 000011
【図７】
2014179732.tif 000012
【図８】
2014179732.tif 000013
【図９】
2014179732.tif 000014
【図１０】
2014179732.tif 000015
【図１１】
2014179732.tif 000016
【図１２】
2014179732.tif 000017
【図１３】
2014179732.tif 000018